【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
薬剤デバイスに取り外し可能に取り付けるように構成された薬剤デバイスセンサであって、
底面を備える本体であって、前記底面が、前記薬剤デバイスの対応する外表面に対合するように成形された、本体と、
前記底面の第１の縁部に結合された、前記底面に垂直な第１の壁であって、前記第１の壁は、前記薬剤デバイスセンサの前記第１の壁を前記薬剤デバイスの相補的な面上のレッジに固定配向で取り付けるように構成された固定クリップを含み、前記固定クリップは、押されると、前記固定クリップを前記レッジから離れるように回転させて、前記薬剤デバイスが前記薬剤デバイスセンサに対して垂直方向にスライドできるようにする解除タブを含み、前記解除タブの最上面は前記第１の壁の最上面と隣接している、第１の壁と、
前記底面の第２の縁部に結合された、前記底面に垂直な第２の壁であって、前記第２の縁部が前記第１の縁部のそれと反対側にある、第２の壁と、
前記薬剤デバイスの使用に対応するオーディオを検出するように構成された、前記本体の前記底面に結合されたオーディオセンサであって、前記オーディオセンサは前記薬剤デバイス内で回転するカプセルの音響強度を記録する、オーディオセンサと、
前記薬剤デバイスの使用に対応する圧力を検出するように構成された、前記本体の前記底面に結合された複数の圧力センサと、
を備える、薬剤デバイスセンサ。
【請求項２】
前記第２の壁が、前記薬剤デバイスセンサが前記薬剤デバイスに取り付けられるとき、前記薬剤デバイスと接触するように構成された突出部を備える、請求項１に記載の薬剤デバイスセンサ。
【請求項３】
前記第１の壁および前記第２の壁が、一次元では鏡面対称であり、二次元では非対称であり、その結果、前記薬剤デバイスセンサは固定配向で前記薬剤デバイスに結合する、請求項１に記載の薬剤デバイスセンサ。
【請求項４】
前記オーディオセンサが、前記薬剤デバイスによる薬剤の投与に対応する吸入を検出するように構成される、請求項１に記載の薬剤デバイスセンサ。
【請求項５】
前記オーディオセンサが、前記薬剤デバイス内の薬剤を含んでいるカプセルの動きに対応する音を検出するようにさらに構成される、請求項１に記載の薬剤デバイスセンサ。
【請求項６】
前記複数の圧力センサの各圧力センサが、リミットスイッチを備える、請求項１に記載の薬剤デバイスセンサ。
【請求項７】
前記複数の圧力センサのうちの１つが、前記薬剤デバイスへの前記薬剤デバイスセンサの確実な取付けに対応する、前記薬剤デバイスセンサに結合されるときの前記薬剤デバイスからの圧力を検出するために、前記底面に配置される、請求項１に記載の薬剤デバイスセンサ。
【請求項８】
前記複数の圧力センサのうちの少なくとも１つが、前記薬剤デバイスのプライミングに対応する、前記薬剤デバイスの投与ボタンの押下に由来する圧力を検出するために、前記底面に配置される、請求項１に記載の薬剤デバイスセンサ。
【請求項９】
前記薬剤デバイスセンサが、
前記本体に結合されたコンピュータ可読記憶媒体と、
前記オーディオセンサからのオーディオデータ、および前記複数の圧力センサからの圧力データを、前記コンピュータ可読記憶媒体上で処理するように構成された、前記本体に結合されたプロセッサと、
をさらに備える、請求項１に記載の薬剤デバイスセンサ。
【請求項１０】
位置データおよび時間データを受信するように構成された、前記本体に結合されたＧＰＳ受信機をさらに備える、請求項９に記載の薬剤デバイスセンサ。
【請求項１１】
ワイヤレス周波数によりデータを送信するように構成された、前記本体に結合されたワイヤレス送信機をさらに備える、請求項９に記載の薬剤デバイスセンサ。
【請求項１２】
レスキュー薬剤を患者に投与するように構成された薬剤デバイスと、
前記薬剤デバイスに取り外し可能に取り付けるように構成された薬剤デバイスセンサと、
を備える薬剤システムであって、
前記薬剤デバイスセンサは、
底面を備える本体であって、前記底面は、前記薬剤デバイスの対応する外表面と対合するように成形された、本体と、
前記底面の第１の縁部に結合された、前記底面に垂直な第１の壁であって、前記薬剤デバイスセンサの前記第１の壁を前記薬剤デバイスの相補的な面上のレッジに固定配向で取り付けるように構成された固定クリップを含み、前記固定クリップは、押されると、前記固定クリップを前記レッジから離れるように回転させて、前記薬剤デバイスが前記薬剤デバイスセンサに対して垂直方向にスライドできるようにする解除タブを含み、前記解除タブの最上面は前記第１の壁の最上面と隣接している、第１の壁と、
前記底面の第２の縁部に結合された、前記底面に垂直な第２の壁であって、前記第２の縁部は前記第１の縁部のそれと反対にある、第２の壁と、
前記薬剤デバイスの使用に対応するオーディオを検出するように構成された、前記本体の前記底面に結合されたオーディオセンサであって、前記薬剤デバイス内で回転するカプセルの音響強度を記録する、オーディオセンサと、
前記薬剤デバイスの使用に対応する圧力を検出するように構成された、前記本体の前記底面に結合された複数の圧力センサと、
を備える、薬剤システム。
【請求項１３】
前記第２の壁は、前記薬剤デバイスセンサが前記薬剤デバイスに取り付けられるとき、前記薬剤デバイスと接触するように構成された突出部を備える、請求項１２に記載の薬剤システム。
【請求項１４】
前記オーディオセンサは、
前記薬剤デバイスによる薬剤の投与に対応する吸入と、
前記薬剤デバイス内の薬剤を含んでいるカプセルの動きに対応する音と、
のうちの１つまたは複数を検出するように構成された、請求項１２に記載の薬剤システム。
【請求項１５】
前記複数の圧力センサのうちの１つは、前記薬剤デバイスへの前記薬剤デバイスセンサの確実な取付けに対応する、前記薬剤デバイスセンサに結合されるときの前記薬剤デバイスからの圧力を検出するために、前記底面に配置される、請求項１２に記載の薬剤システム。
【請求項１６】
前記薬剤デバイスセンサは、
前記本体に結合されたコンピュータ可読記憶媒体と、
前記オーディオセンサからのオーディオデータ、および前記複数の圧力センサからの圧力データを、前記コンピュータ可読記憶媒体上で処理するように構成された、前記本体に結合されたプロセッサと、
をさらに備える、請求項１２に記載の薬剤システム。
【請求項１７】
レスキュー薬剤を患者に投与するように構成された薬剤デバイスであって、前記薬剤デバイスは、
コンピュータ可読記憶媒体と、
オーディオセンサからのオーディオデータおよび圧力センサからの圧力データを前記コンピュータ可読記憶媒体上で処理するように構成されたプロセッサと、
を備える、薬剤デバイスと、
前記薬剤デバイスに取り外し可能に取り付けるように構成された薬剤デバイスセンサと、
を備える、薬剤システムであって、
前記薬剤デバイスセンサは、
底面を備える本体であって、前記底面は、前記薬剤デバイスの対応する外表面と対合するように成形された、本体と、
前記底面の第１の縁部に結合された、前記底面に垂直な第１の壁であって、前記第１の壁は、前記薬剤デバイスセンサの第１の壁を前記薬剤デバイスの相補的な面上のレッジに固定配向で取り付けるように構成された固定クリップを含み、前記固定クリップは、押されると、前記固定クリップを前記レッジから離れるように回転させて、前記薬剤デバイスが前記薬剤デバイスセンサに対して垂直方向にスライドできるようにする解除タブを含み、前記解除タブの最上面は前記第１の壁の最上面と隣接している、第１の壁と、
前記底面の第２の縁部に結合された、前記底面に垂直な第２の壁であって、前記第２の縁部は前記第１の縁部のそれと反対側にある、第２の壁と、
前記薬剤デバイスの使用に対応するオーディオを検出するように構成された、前記本体の前記底面に結合されたオーディオセンサであって、前記薬剤デバイス内で回転するカプセルの音響強度を記録するオーディオセンサと、
前記薬剤デバイスの使用に対応する圧力を検出するように構成された、前記本体の前記底面に結合された複数の圧力センサと、
を備える、薬剤システム。
【請求項１８】
前記第２の壁は、前記薬剤デバイスセンサが前記薬剤デバイスに取り付けられるとき、前記薬剤デバイスと接触するように構成された突出部を含む、請求項１７に記載の薬剤システム。
【請求項１９】
前記オーディオセンサは、
前記薬剤デバイスによる薬剤の投与に対応する吸入と、
前記薬剤デバイス内の薬剤を含んでいるカプセルの動きに対応する音と、
のうちの１つまたは複数を検出するように構成されている、請求項１７に記載の薬剤システム。
【請求項２０】
前記複数の圧力センサのうちの１つが、前記薬剤デバイスへの前記薬剤デバイスセンサの確実な取付けに対応する、前記薬剤デバイスセンサに結合されるときの前記薬剤デバイスからの圧力を検出するために、前記底面に配置される、請求項１７に記載の薬剤システム。